(57)【特許請求の範囲】
【請求項１】
天井に形成される開口に取り付けられる方形状の外枠と、上記外枠内に開閉可能に設けられる方形状の内枠と、上記外枠に対して上記内枠を開閉する開閉機構と、を具備する天井点検口であって、
上記開閉機構は、上記内枠を構成する内枠部材の対向する両内枠部材の長手方向に沿って該内枠部材の垂直壁に設けられる一対のスライド溝内を長手方向に転動可能な２個のローラと、これらローラを一端側に並列して枢着し、他端側に、上記外枠の対向する両内側面に設けられた回動軸受け部に着脱及び回動可能に係合する回動軸を突設するスライドバーと、を具備する、
ことを特徴とする天井点検口。
【請求項２】
請求項１記載の天井点検口において、
上記２個のローラのうちの端部側の一方のローラは、上記スライド溝の長手方向に沿う中心線よりも下方に位置し、他方のローラは、上記中心線よりも上方に位置している、ことを特徴とする天井点検口。
【請求項３】
請求項２に記載の天井点検口において、
上記内枠部材は、上記スライド溝より内方側に位置する挿入溝内に挿入されるアングル状のコーナー部材によって連結され、上記コーナー部材に設けられる第１のストッパ片が上記他方のローラに当接可能に形成され、上記挿入溝に設けられる第２のストッパ片が上記一方のローラに当接可能に形成されている、ことを特徴とする天井点検口。
【請求項４】
請求項３に記載の天井点検口において、
上記スライドバーの他端部に、上記第１のストッパ片と干渉しない延在部が設けられている、ことを特徴とする天井点検口。
【請求項５】
請求項１ないし４のいずれかに記載の天井点検口において、
上記回動軸受け部は、上記回動軸より大径の着脱孔部と、該着脱孔部と連通する、上記回動軸がスライド及び回動可能な枢支孔部とからなる、ことを特徴とする天井点検口。
【請求項６】
請求項１ないし４のいずれかに記載の天井点検口において、
上記回動軸受け部は、上記回動軸より大径の着脱孔部と、該着脱孔部と連通する、上記回動軸がスライド及び回動可能な先端が上記着脱孔部側に向かう略コ字状の枢支孔部とからなる、ことを特徴とする天井点検口。
【請求項７】
請求項１ないし６のいずれかに記載の天井点検口において、
上記内枠が上記外枠内に収納された状態で、上記内枠をロックするロック機構を更に具備し、
上記ロック機構は、上記内枠部材の上部垂直壁に沿ってスライド可能な第１の垂直片と、上記内枠部材と上記外枠の垂直壁との隙間においてスライド可能な第２の垂直片と、上記隙間より下方に突出する上記第２の垂直片の下端に設けられる摘み部と、上記第１の垂直片の外側に突出する係止突部とが一体に形成された合成樹脂製の係止部材と、上記外枠の垂直壁の内側に突設される、上記係止突部が係脱可能な係止受け部と、からなり、
上記内枠部材の下端に上記外枠の内側面に近接する肉厚部が設けられ、該肉厚部に上記係止部材の第２の垂直片がスライド可能な切欠部が設けられている、ことを特徴とする天井点検口。
【請求項８】
請求項１ないし７のいずれかに記載の天井点検口において、
上記外枠を構成する外枠部材は、天井板を支持する外向き鍔部を有する断面略クランク状に形成され、上記内枠部材は、天井仕上げ材を取り付ける収納部を有する断面略クランク状に形成され、上記外枠部材は、上記外向き鍔部の上面に上記天井板と密接する第１のパッキンが貼着されると共に、クランク部の内面に上記内枠部材のクランク部の外面に密接する第２のパッキンが貼着され、上記内枠部材のクランク部の内面に上記天井仕上げ材に密接する第３のパッキンが貼着されている、ことを特徴とする天井点検口。
【発明の詳細な説明】
【技術分野】
【０００１】
この発明は、天井点検口に関するもので、更に詳細には、天井に形成された開口に取り付けられる方形状の外枠と、該外枠内に開閉可能に設けられる方形状の内枠とを具備する天井点検口に関するものである。
【背景技術】
【０００２】
従来、天井に形成された開口に取り付けられる方形状の外枠と、該外枠内に開閉可能に設けられる方形状の内枠とを目地状に形成した、いわゆる目地タイプの天井点検口が存在する。この目地タイプの天井点検口は、点検口の存在をあまり主張しない製品として市場に受け入られている。
【０００３】
従来のこの種の目地タイプの天井点検口として、方形状の外枠の１辺内側面に設けられる軸受け部材にコ字形連結部を有する連結金具の一方を回転自在に差し込み連結し、連結金具の他方を内枠の対向する外側面に設けられる軸受け金具差し込み連結する構造の開閉機構を備えるものが知られている（例えば、特許文献１参照）。
【０００４】
しかし、特許文献１に記載の天井点検口においては、連結金具の外枠の連結部を回転中心として内枠と外枠の干渉を避けて開閉可能とするため、内枠と外枠の目地間をやや広く取らざるを得ず、目地部の隙間を十分に狭くするには限度がある。
【０００５】
一方、開閉機構にスライドアームを有する天井点検口が知られている（例えば、特許文献２参照）。
特許文献２に記載の天井点検口は、内枠を構成する対向側板の長さ方向一端から突出する方向にスライド自在な板状のアームの先端に設けた軸体を外枠の対向側板の長さ方向に形成した案内溝に移動自在に係合させて外枠に支持する構造である。
【０００６】
特許文献２に記載の開閉機構によれば、内枠を開放する際、軸体を中心として回動すると共に、アームが内枠の長さ方向にスライドするため、内枠と外枠の干渉を避けて開閉することができる。
【先行技術文献】
【特許文献】
【０００７】
【特許文献１】特開２０１３−２３８６９号公報（特許請求の範囲、図３，図４，図５）
【特許文献２】特許第２６９０２８１号公報（図４，図５，図６）
【発明の概要】
【発明が解決しようとする課題】
【０００８】
しかしながら、特許文献２に記載の技術においては、板状のアームが内枠の外面に装着したガイド部材内でスライドするもので、ガイド部材は断面略ハット状の部材であるため、摩擦抵抗によってスライドがスムーズでない虞がある。アームのスライドをスムーズにするために、アームをガイド部材に遊びをもたせると、内枠を閉じた状態で内枠が垂れ下がる懸念がある。
【０００９】
また、内枠を取り外す必要上、軸体を案内溝に着脱及び移動自在に係合させる場合、開放時に軸体が案内溝から抜け易い虞もある。
【００１０】
また、特許文献２に記載の天井点検口は目地タイプではなく、閉じた状態では、外枠の下端外周に設けられた鍔部に、内枠の下端に設けられた外側鍔部が重なるタイプであり、外枠と内枠との隙間に関しては言及されていない。
【００１１】
この発明は、上記事情に鑑みてなされたもので、内枠と外枠の干渉を回避して目地部の隙間を狭くでき、内枠の開閉をスムーズに行えるようにし、かつ、内枠の垂れ下がりを防止できるようにした天井点検口を提供することを課題とする。
【課題を解決するための手段】
【００１２】
上記課題を解決するため、この発明は、天井に形成される開口に取り付けられる方形状の外枠と、上記外枠内に開閉可能に設けられる方形状の内枠と、上記外枠に対して上記内枠を開閉する開閉機構と、を具備する天井点検口であって、上記開閉機構は、上記内枠を構成する内枠部材の対向する両内枠部材の長手方向に沿って該内枠部材の垂直壁に設けられる一対のスライド溝内を長手方向に転動可能な２個のローラと、これらローラを一端側に並列して枢着し、他端側に、上記外枠の対向する両内側面に設けられた回動軸受け部に着脱及び回動可能に係合する回動軸を突設するスライドバーと、を具備する、ことを特徴とする（請求項１）。
【００１３】
このように構成することにより、内枠の開放時に、内枠は回動軸を中心として回動すると同時に、２個のローラがスライド溝内を転動してスライドバーが内枠の長手方向端部に突出することで、内枠は外枠に干渉せずに開放される。また、内枠を閉じた状態においては、スライドバーは内枠のスライド溝側に収納され、スライドバーの一端側の２個のローラと他端側の回動軸とによって内枠は外枠内に収納される。
【００１４】
この発明において、上記２個のローラのうちの端部側の一方のローラは、上記スライド溝の長手方向に沿う中心線よりも下方に位置し、他方のローラは、上記中心線よりも上方に位置しているのが好ましい（請求項２）。
【００１５】
このように構成することにより、内枠を閉じた状態において、内枠及び内枠に取り付けられる天井仕上げ材等の自重が加わった場合、端部側の一方のローラはスライド溝の下面に当接し、内側に位置する他方のローラはスライド溝の上面に当接するので、内枠及び内枠に取り付けられる天井仕上げ材等の自重によって内枠が外枠から垂れ下がるのを確実に防止することができる。
【００１６】
また、この発明において、上記内枠部材は、上記スライド溝より内方側に位置する挿入溝内に挿入されるアングル状のコーナー部材によって連結され、上記コーナー部材に設けられる第１のストッパ片が上記他方のローラに当接可能に形成され、上記挿入溝に設けられる第２のストッパ片が上記一方のローラに当接可能に形成されているのが好ましい（請求項３）。この場合、上記スライドバーの他端部に、上記第１のストッパ片と干渉しない延在部が設けられているのが好ましい（請求項４）。
【００１７】
このように構成することにより、内枠にローラが転動可能なスライド溝と、該スライド溝の内側に位置する挿入溝との２条の溝が形成されるので、スライド溝内を転動するローラが内枠の垂直壁に取り付けられる部材、例えば天井仕上げ材を取り付ける押え部材の固定部材との干渉を防止することができる。また、内枠の開放時にスライドバーが内枠の長手方向端部から突出したとき、コーナー部材に切り起こされた第１のストッパ片に内側の他方のローラが当接することで、スライドバーの突出量の位置規制と内枠から抜け出るのを防止することができる。更に、内枠を閉じた状態において、挿入溝に切り起こされる第２のストッパ片に端部側の一方のローラが当接することで、スライドバーが必要以上に内枠の内方側に移動するのを防止することができる。
【００１８】
この場合、上記スライドバーの他端部に、内枠を閉じた状態において、上記第１のストッパ片よりも長く、第１のストッパ片と常に重なるように形成されることにより、上記第１のストッパ片と干渉しない延在部を設けることで、内枠の開放始動時にスライドバーが第１のストッパ片に干渉することなく移動することができる。
【００１９】
請求項５に記載の発明は、請求項１ないし４のいずれかに記載の天井点検口において、上記回動軸受け部は、上記回動軸より大径の着脱孔部と、該着脱孔部と連通する、上記回動軸がスライド及び回動可能な枢支孔部とからなる、ことを特徴とする。
【００２０】
このように構成することにより、内枠を取り付ける場合は、回動軸を着脱孔部内に挿入して、回動軸を枢支孔部に移動し、また、内枠を取り外す場合は、上記と逆の操作によって回動軸を着脱孔部から取り外すことができる。また、内枠を開放する際、内枠が外枠に対して９０度以上回動して天井部に衝突する衝撃を、回動軸が枢支孔部において着脱孔部側に移動することで緩衝することができる。
【００２１】
請求項６に記載の発明は、請求項１ないし４のいずれかに記載の天井点検口において、上記回動軸受け部は、上記回動軸より大径の着脱孔部と、該着脱孔部と連通する、上記回動軸がスライド及び回動可能な先端が上記着脱孔部側に向かう略コ字状の枢支孔部とからなる、ことを特徴とする。
【００２２】
このように構成することにより、内枠を取り付ける場合は、回動軸を着脱孔部内に挿入して、回動軸を枢支孔部に移動し、また、内枠を取り外す場合は、上記と逆の操作によって回動軸を着脱孔部から取り外すことができる。また、内枠を開放する際、内枠が外枠に対して９０度以上回動して天井部に衝突する衝撃を、回動軸が枢支孔部において着脱孔部側に移動することで緩衝することができる。また、枢支孔部が着脱孔部側に向かう略コ字状に形成されることで、内枠の開放時に回動軸が不用意に抜け出るのを確実に防止することができる。
【００２３】
請求項７に記載の発明は、請求項１ないし６のいずれかに記載の天井点検口において、  上記内枠が上記外枠内に収納された状態で、上記内枠をロックするロック機構を更に具備し、上記ロック機構は、上記内枠部材の上部垂直壁に沿ってスライド可能な第１の垂直片と、上記内枠部材と上記外枠の垂直壁との隙間においてスライド可能な第２の垂直片と、上記隙間より下方に突出する上記第２の垂直片の下端に設けられる摘み部と、上記第１の垂直片の外側に突出する係止突部とが一体に形成された合成樹脂製の係止部材と、上記外枠の垂直壁の内側に突設される、上記係止突部が係脱可能な係止受け部と、からなり、上記内枠部材の下端に上記外枠の内側面に近接する肉厚部が設けられ、該肉厚部に上記係止部材の第２の垂直片がスライド可能な切欠部が設けられている、ことを特徴とする。
【００２４】
このように構成することにより、ロック機構を構成する係止部材を、内枠部材の下端の肉厚部に設けられた切欠部内でスライドさせて、係止部材に突設された係止突部を外枠に設けられた係止受け部に係脱可能にすることができる。したがって、内枠と外枠の隙間を広げることなくロック機構の係止部材を取り付けることができる。
【００２５】
請求項８に記載の発明は、請求項１ないし７のいずれかに記載の天井点検口において、上記外枠を構成する外枠部材は、天井板を支持する外向き鍔部を有する断面略クランク状に形成され、上記内枠部材は、天井仕上げ材を取り付ける収納部を有する断面略クランク状に形成され、上記外枠部材は、上記外向き鍔部の上面に上記天井板と密接する第１のパッキンが貼着されると共に、クランク部の内面に上記内枠部材のクランク部の外面に密接する第２のパッキンが貼着され、上記内枠部材のクランク部の内面に上記天井仕上げ材に密接する第３のパッキンが貼着されている、ことを特徴とする。
【００２６】
このように構成することにより、内枠と外枠との間の気密性が図れると共に、外枠と天井板間、及び内枠と天井仕上げ材間の気密性の維持が図れる。
【発明の効果】
【００２７】
この発明によれば、上記のように構成されているので、以下のような優れた効果が得られる。
【００２８】
（１）請求項１に記載の発明によれば、内枠の開閉時に、内枠は回動軸を中心として回動すると同時に、２個のローラがスライド溝内を転動してスライドバーが内枠の長手方向端部に出没することで、内枠と外枠の干渉を回避して目地部の隙間を狭くでき、内枠の開閉をスムーズに行うことができる。また、内枠を閉じた状態においては、スライドバーは内枠のスライド溝側に収納され、スライドバーの一端側の２個のローラと他端側の回動軸とによって内枠は外枠内に収納されるので、内枠の垂れ下がりを防止できる。
【００２９】
（２）請求項２に記載の発明によれば、上記（１）に加えて、更に内枠及び内枠に取り付けられる天井仕上げ材等の自重によって内枠が外枠から垂れ下がるのを確実に防止することができる。
【００３０】
（３）請求項３に記載の発明によれば、上記（１），（２）に加えて、更にスライドバーの突出量の位置規制と内枠から抜け出るのを防止することができると共に、スライドバーが必要以上に内枠の内方側に移動するのを防止することができる。この場合、スライドバーの他端部に、第１のストッパ片と干渉しない延在部が設けることで、内枠の開放始動時にスライドバーが第１のストッパ片に干渉することなく移動することができ、内枠の開放をスムーズにすることができる（請求項４）。
【００３１】
（４）請求項５，６に記載の発明によれば、上記（１）〜（３）に加えて、更に内枠の着脱を容易にすることができると共に、内枠が天井部に衝突する衝撃を緩衝することができる。また、枢支孔部が着脱孔部側に向かう略コ字状に形成されることで、内枠の開放時に回動軸が不用意に抜け出るのを確実に防止することができる（請求項６）。
【００３２】
（５）請求項７に記載の発明によれば、上記（１）〜（４）に加えて、更に内枠と外枠の隙間を狭く維持した状態で、ロック機構を設けることができる。
【００３３】
（６）請求項８に記載の発明によれば、上記（１）〜（５）に加えて、更に内枠と外枠との間の気密性が図れると共に、外枠と天井板間、及び内枠と天井仕上げ材間の気密性の維持が図れる。
【図面の簡単な説明】
【００３４】
【図１】この発明に係る天井点検口の閉じた状態を示す要部断面図である。
【図２】この発明に係る天井点検口の開放途中の状態を示す要部断面図である。
【図３】この発明に係る天井点検口の開放状態を示す要部断面図である。
【図４】この発明に係る天井点検口の開放の最大限の状態を示す要部断面図である。
【図５】この発明における外枠と内枠の開閉機構を示す斜視図である。
【図６】この発明に係る天井点検口の閉じた状態の外枠と内枠及び開閉機構を示す横断面図である。
【図７】この発明における外枠と天井板、外枠と内枠及び内枠と天井仕上げ材の気密構造を示す断面図である。
【図８】この発明におけるローラ、スライドバー及び回動軸を示す斜視図である。
【図８Ａ】この発明におけるローラ、スライドバー及び回動軸を示す正面図（ａ）、平面図（ｂ）、（ａ）のＩ−Ｉ線に沿う拡大断面図（ｃ）及び（ａ）のII−II線に沿う拡大断面図（ｄ）である。
【図９】上記ローラ、スライドバー及び回動軸を内枠に取り付ける手順を示す側面図である。
【図１０】上記ローラ、スライドバー及び回動軸を内枠に取り付ける前の状態を示す斜視図（ａ）及び取付後の状態を示す斜視図（ｂ）である。
【図１１】この発明の第１実施形態における回動軸受け部と回動軸の関係を示す側面図である。
【図１２】この発明の第２実施形態における回動軸受け部と回動軸の関係を示す側面図である。
【図１３】この発明におけるロック機構を示す断面図である。
【図１４】上記ロック機構を構成する係止部材の取付状態を示す斜視図である。
【図１５】この発明における係止受け部材の正面図（ａ）及び側面図（ｂ）である。
【図１６】上記係止受け部材を外枠に取り付ける手順を示す断面図である。
【図１７】この発明における内枠に天井仕上げ材と天井下地材を取り付ける状態を示す斜視図である。
【発明を実施するための形態】
【００３５】
以下に、この発明に係る天井点検口の実施形態を添付図面に基づいて詳細に説明する。
上記天井点検口１は、図１ないし図７に示すように、天井２に形成された方形状の開口２ａ内に取り付けられる方形状の外枠１０と、外枠１０内に開閉可能に設けられ、積層された天井下地材４と天井仕上げ材３の外周に取り付けられる方形状の内枠２０と、外枠１０に対して内枠２０を開閉する開閉機構３０と、内枠２０が外枠１０内に収納された状態で、内枠２０をロックするロック機構５０と、を具備している。
【００３６】
外枠１０は、４本のアルミニウム製形材にて形成される外枠部材１１をアングル状のコーナー部材１７によって連結されて方形状に形成されている。外枠１０を構成する外枠部材１１は、天井板５を支持する外向き鍔部１２を有する断面略クランク状に形成されている。
【００３７】
この場合、外枠部材１１は、下端に外向き鍔部１２を有する下部垂直壁１３と、下部垂直壁１３の上端から内方側に屈曲する水平壁１４と、水平壁１４の先端から直交状に起立する上部垂直壁１５とからなる断面略クランク状に形成されている。また、上部垂直壁１５と、上部垂直壁１５の上端から外側に向かって横Ｌ字状に突出する突出部１６ａ及び水平壁１４の上面に起立する起立部１６ｂとで狭隘開口状の挿入溝１６が形成されており、この挿入溝１６内にコーナー部材１７が挿入されている。
【００３８】
一方、内枠２０は、４本のアルミニウム製形材にて形成される内枠部材２１をアングル状のコーナー部材２９によって連結されて方形状に形成されている。内枠２０を構成する内枠部材２１は、天井仕上げ材３を取り付ける収納部を有する断面略クランク状に形成されている。
【００３９】
この場合、内枠部材２１は、下端に外向きの肉厚部２２を有する下部垂直壁２３と、下部垂直壁２３の上端から内方側に屈曲する水平壁２４と、水平壁２４の先端から直交状に起立する上部垂直壁２５とからなる断面略クランク状に形成されている。なお、下部垂直壁２３と水平壁２４とで天井仕上げ材３の収納部が形成されている。また、上部垂直壁２５の上端から外側に向かって屈曲する上部水平片２６の先端側に垂下する２条の凸条２７ａ，２７ｂと、水平壁２４における凸条２７ａ，２７ｂと対向する位置に起立する２条の凸条２７ｃ，２７ｄとで内枠部材２１の長手方向に沿うスライド溝２７が形成されており、上部垂直壁２５と凸条２７ｂ，２７ｄとで挿入溝２８が形成されている。したがって、内枠部材２１には外側に位置するスライド溝２７と内側に位置する挿入溝２８の２つの溝部が設けられている。外側のスライド溝２７には、後述する開閉機構３０を構成する２個のローラ３１Ａ，３１Ｂが転動可能に挿入されている。また、内側の挿入溝２８内には上記アングル状のコーナー部材２９が挿入されている。
【００４０】
この場合、コーナー部材２９の一方の片２９ａにはコ字状の切欠き（図示せず）が設けられ、このコ字状溝を介して片２９ａに対して直交状に第１のストッパ片３５ａが曲げ起こされて設けられている（図６，図１０参照）。
【００４１】
また、内枠２０の上部垂直壁２５におけるスライド溝２７の位置には、コ字状の切欠き２５ａが設けられ、このコ字状の切欠き２５ａを介して上部垂直壁２５に対して直交状に第２のストッパ片３５ｂが曲げ起こされて設けられている（図９，図１０参照）。
【００４２】
上記のように形成される外枠１０と内枠２０において、内枠２０を閉じた状態では、外枠１０の下部垂直壁１３の内側面と内枠２０の下部垂直壁２３の肉厚部２２の外面との隙間Ｓが０．５ｍｍに形成されている（図７参照）。また、図７に示すように、外枠１０の外向き鍔部１２の上面に天井板５と密接する第１のパッキン６１が貼着されると共に、外枠部材１１のクランク部１０ａの内面に内枠部材２１のクランク部２０ａの外面に密接する第２のパッキン６２が貼着されている。また、内枠部材２１のクランク部２０ａの内面に天井仕上げ材３に密接する第３のパッキン６３が貼着されている。
【００４３】
次に、開閉機構３０について説明する。開閉機構３０は、対向する両内枠部材２１の上部垂直壁２５に設けられる一対のスライド溝２７内を長手方向に転動可能な２個のローラ３１Ａ，３１Ｂと、これらローラ３１Ａ，３１Ｂを一端側に並列して枢着し、他端側に、外枠１０の対向する両内側面、すなわち外枠部材１１の上部垂直壁１５に設けられた回動軸受け部４０に着脱及び回動可能に係合する回動軸３２を突設するスライドバー３３と、を具備している。
【００４４】
この場合、図８Ａに示すように、２個のローラ３１Ａ，３１Ｂのうちの端部側の一方のローラ３１Ａは、スライド溝２７の長手方向に沿う中心線Ｃよりも下方に位置し、他方のローラ３１Ｂは、中心線Ｃよりも上方に位置している。
【００４５】
ローラ３１Ａ，３１Ｂは、例えばポリアセタール樹脂（ＰＯＭ）等の合成樹脂製部材、あるいはスチール製部材等にて形成されており、直径がスライド溝２７の高さより若干小さい寸法に形成され、スライド溝２７内にルーズに挿入されている。また、ローラ３１Ａ，３１Ｂは、ローラ３１Ａを代表して説明すると、図８Ａ（ｃ）に示すように、一側面の中心部に隆起部３１ａを有し、他側面の中心部に凹部３１ｂを有する断面形状に形成されており、隆起部３１ａがスライドバー３３との間に僅かな隙間をおいて段付きの枢支ピン３４をスライドバー３３に設けられた貫通孔３３ａを貫通した状態で、かしめ加工することで、枢支ピン３４に回転自在に枢着されている。この場合、凹部３１ｂ内に枢支ピン３４の大径頭部３４ａが位置して外部に突出しないようになっている。
【００４６】
また、回動軸３２は、図８Ａに示すように、大径部３２ａと小径部３２ｂを有すると共に、大径部３２ａの端部に鍔部３２ｃを有する段付き軸にて形成されている。このように形成される回動軸３２は、スライドバー３３の他端側に設けられた円形隆起状の取付部３３ｂに設けられた貫通孔３３ｃ内に小径部３２ｂが貫挿された状態で、取付部３３ｂの裏面側凹部３３ｄ内に突出する小径部３２ｂを、かしめ加工することで、取り付けられている。この場合、裏面側凹部３３ｄ内にかしめ部が位置して外部に突出しないようになっている。
【００４７】
一方、スライドバー３３は、スチール製の板部材にて形成されており、長手方向の両端が円弧状に形成され、回動軸３２を取り付ける円形隆起状の取付部３３ｂと、取付部３３ｂとローラ３１Ｂの取付部との間に扁平楕円形状の補強用の絞り部３３ｅとがプレス加工によって形成されている。スライドバー３３の他端部に、内枠２０を閉じた状態において、第１のストッパ片３５ａよりも長く、第１のストッパ片３５ａと常に重なるように形成されることにより、内枠２０のコーナー部材２９に設けられた第１のストッパ片３５ａと干渉しない延在部３３ｆが設けられている。なお、スライドバー３３の幅方向の一方の辺には位置決め用の切欠き３３ｇが設けられており、この切欠き３３ｇによってスライドバー３３を内枠２０に取り付ける際に天地逆にならないようになっている。
【００４８】
上記のように構成されるローラ３１Ａ，３１Ｂを有するスライドバー３３を内枠２０に取り付けるには、図９に示す手順によって行う。まず、内枠２０を構成する内枠部材２１の長手方向の一方、すなわち第１のストッパ片３５ａを有しないコーナー部材２９側からスライド溝２７内にスライドバー３３に枢着されたローラ３１Ａ，３１Ｂを挿入し（図９（ａ）参照）、ローラ３１Ａを上部垂直壁２５に設けられたコ字状の切欠き２５ａより他方側に移動する（図９（ｂ）参照）。この状態で、切欠き２５ａを介して第２のストッパ片３５ｂを曲げ起こし（図９（ｃ）参照）、その後、スライドバー３３を戻してローラ３１Ａを第２のストッパ片３５ｂに当接させてスライドバー３３をスライド溝２７側に収納する（図９（ｄ）参照）。
【００４９】
上記回動軸受け部４０は、外枠１０の１辺の対向する両外枠部材１１に設けられており、図１１に示すように、回動軸３２より大径の着脱孔部４１と、該着脱孔部４１に連通する、回動軸３２の大径部３２ａがスライド及び回動可能な先端が着脱孔部４１側に向かう略コ字状の枢支孔部４２とで形成されている。
【００５０】
この場合、枢支孔部４２は、外枠部材１１の長手方向の一端側に設けられた着脱孔部４１の一端側に連通する上部水平部４２ａと、上部水平部４２ａの先端に連通する垂直部４２ｂと、垂直部４２ｂの下端から着脱孔部４１側に向かって連通する下部水平部４２ｃとからなる略コ字状に形成されている。
【００５１】
なお、垂直部４２ｂの中間部の対向する側面には、内方に向かって突出する一対の円弧状凸部４２ｄが設けられると共に、円弧状凸部４２ｄに弾性変形をもたせるべく円弧状凸部４２ｄの背部側近傍位置に円弧状のスリット４２ｅが設けられている。この両円弧状凸部４２ｄ間の距離は回動軸３２の大径部３２ａの直径より若干狭く形成されており、内枠２０を外枠１０内に取り付ける場合に、着脱孔部４１に挿入された回動軸３２が上部水平部４２ａから垂直部４２ｂに移動された際に回動軸３２の大径部３２ａが両円弧状凸部４２ｄを外側に変位させて通過した後、元の状態に戻るようになっている。
【００５２】
上記のように形成される回動軸受け部４０において、内枠２０が閉じた状態では、回動軸３２は枢支孔部４２の垂直部４２ｂと下部水平部４２ｃの交差部に位置している。内枠２０を開放すると、その反動によって回動軸３２は移動するが、上方への移動は両円弧状凸部４２ｄによって規制されるので、下部水平部４２ｃ内を移動する。したがって、垂直部４２ｂと下部水平部４２ｃの交差部に位置する回動軸３２は上方への移動が規制され、不用意に抜け出る心配はない。
【００５３】
また、内枠２０を開放する際に、内枠２０が外枠１０に対して９０度以上回動して天井部に衝突する衝撃を、回動軸３２が枢支孔部４２の下部水平部４２ｃ内の着脱孔部側に移動することで緩衝することができる。
【００５４】
次に、外枠１０内に収納された状態の内枠２０をロックするロック機構５０について説明する。
ロック機構５０は、内枠部材２１の上部垂直壁２５に設けられた挿入溝２８に挿入されて上部垂直壁２５に沿ってスライド可能な第１の垂直片５１と、内枠部材２１の下部垂直壁２３と外枠部材１１の下部垂直壁１３との隙間Ｓにおいてスライド可能な第２の垂直片５２と、隙間Ｓより下方に突出する第２の垂直片５２の下端に設けられる板状の摘み部５３と、第１の垂直片５１の外側に突出する係止突部５４とが一体に形成された例えばポリアセタール樹脂等の合成樹脂製の係止部材５５と、外枠部材１１の上部垂直壁１５の内側に突設される、係止突部５４が係脱可能な係止受け部５７とで構成されている。この場合、第２の垂直片５２は、内枠部材２１の下部垂直壁２３の下端部に設けられた外枠１０の内側面に近接する肉厚部２２に設けられた切欠部２２ａ内から外部に突出することなくスライド可能に配設されている。
【００５５】
なお、係止部材５５の第１の垂直片５１の下端と第２の垂直片５２の上端は、スライド溝２７を構成する凸条２７ｃ，２７ｄを跨ぐ屈曲状の連結片５６によって連結されている。また、第１の垂直片５１の両側には翼片５１ａが延在されている。この翼片５１ａは、係止部材５５が切欠部２２ａ内を移動する際に、内枠部材２１の上部垂直壁２５に設けられた球面状突起２５ｃを乗り越えるように形成されており、翼片５１ａが球面状突起２５ｃを乗り越えることで、操作者にロック位置とアンロック位置の確認が行えるようになっている。
【００５６】
上記のように形成される合成樹脂製の係止部材５５は、加工上肉厚が１ｍｍより薄くできないが、内枠部材２１の下端部の肉厚部２２に設けられた切欠部２２ａの深さを１ｍｍ以上にすることで、内枠２０と外枠１０の隙間Ｓを０．５ｍｍに維持することができる。
【００５７】
なお、係止受け部５７は、係止部材５５と同様に、例えばポリアセタール樹脂等の合成樹脂製部材にて形成されている。係止受け部５７は、図１４及び図１６に示すように、上端に係止受け面５７ａを有する側面視が略逆直角三角形状の基部５７ｂと、基部５７ｂの垂直片側の一端から起立する係止起立片５７ｃと、基部５７ｂの幅方向の中央部の垂直面側の外方に突出する略「つ」状の弾性変形可能な係止爪部５７ｄと、基部５７ｂの幅方向両端に突設される一対の係止翼片５７ｅと、が一体に形成されている。
【００５８】
上記のように形成される係止受け部５７を外枠１０に取り付けるには、図１６（ａ）〜（ｃ）に示す手順によって行う。まず、外枠部材１１の上部垂直壁１５に設けられた矩形状の係止孔１５ａ内に係止起立片５７ｃを挿入し、係止起立片５７ｃが上部垂直壁１５の外側面に当接するように回動して係止爪部５７ｄを係止孔１５ａに挿入して、係止爪部５７ｄを係止孔１５ａの下縁部に係止させる。このようにして、係止受け部５７は、係止起立片５７ｃが上部垂直壁１５の係止孔１５ａの上縁側の外側面に当接し、係止翼片５７ｅが係止孔１５ａの下縁側の内面側に当接した状態で外枠１０に取り付けられる。
【００５９】
内枠２０に取り付けられる天井仕上げ材３は、内枠２０の４辺の内枠部材２１に取り付けられる固定部材７０によって固定されている。
【００６０】
固定部材７０は、図１７に示すように、内枠部材２１の上部垂直壁２５に固定ねじ８０によって固定される垂直片７１と、天井仕上げ材３の上面に当接する水平片７２とからなるアングル状に形成されており、垂直片７１の上部両側には、外方に開口するスリット７３によって切起し可能な一対の天井仕上げ材３の押さえ片７４が設けられている。
【００６１】
なお、垂直片７１の一対の押さえ片７４の間の中央には、固定ねじ８０が螺合するねじ孔７５が設けられ、水平片７２の両端側には貫通孔７６が設けられている。また、固定部材７０を内枠部材２１に固定する固定ねじ８０の頭部８０ａは、上部垂直壁２５の外側に設けられた挿入溝２８内に位置している。したがって、内枠２０の開閉の際に、ローラ３１Ａ，３１Ｂが固定ねじ８０の頭部８０ａに干渉する虞はない。
【００６２】
上記のように形成される固定部材７０を用いて、内枠２０に天井仕上げ材３と天井下地材４が取り付けられる。この場合、天井仕上げ材３は内枠２０の収納部に挿入されて固定部材７０の水平片７２に当接された状態で固定される。天井仕上げ材３を固定した後、天井仕上げ材３の上面に天井下地材４を載置した状態で、押さえ片７４を切り起こして天井下地材４の上面を押し付ける（図１８（ｂ）参照）。なお、内枠部材２１の上部垂直壁２５には、鉛直方向に延びる長孔２５ｂが設けられており、天井下地材４の厚さに応じて、固定ねじ８０が貫挿する長孔２５ｂ内に移動調節可能になっている。
【００６３】
なお、上記実施形態では、回動軸受け部４０が、回動軸３２より大径の着脱孔部４１と、該着脱孔部４１に連通する、回動軸３２の大径部３２ａがスライド及び回動可能な先端が着脱孔部４１側に向かう略コ字状の枢支孔部４２とで形成される場合について説明したが、回動軸受け部を別の形状にしてもよい。
【００６４】
例えば、図１２に示すように、外枠部材１１の上部垂直壁１５に係止爪４７によって固着される回動軸受け部材４３によって回動軸受け部４０Ｂを構成してもよい。この場合、回動軸受け部材４３は、水平下部４４の一端に起立する垂直段部４５と、水平下部４４の他端と垂直段部４５の上端とを結ぶ傾斜部４６とを有する略三角形状の合成樹脂部材にて形成されており、傾斜部４６の下端側に開口する略Ｌ字状の枢支孔部４２Ｂが設けられている。枢支孔部４２Ｂは、回動軸３２の直径より若干広い開口４２ｈを有する垂直孔部４２ｉと、垂直孔部４２ｉの下端に連通する水平孔部４２ｊとからなり、垂直孔部４２ｉは回動軸３２の外径よりやや幅狭に形成されて、回動軸３２が垂直孔部４２ｉを乗り越えて係合可能に形成されている。
【００６５】
なお、上記のように形成される回動軸受け部４０Ｂを設ける場合には、上記回動軸３２に代えて、鍔部３２ｃのない回動軸３２Ｂを用いる。回動軸３２Ｂを用いた内枠２０を外枠１０内に取り付ける場合は、回動軸３２Ｂを回動軸受け部４０Ｂの開口４２ｈから垂直孔部４２ｉを介して水平孔部４２ｊに挿入して、内枠２０を取り付ける。また、内枠２０を取り外す場合は、上記と逆の動作を行って外枠１０から内枠２０を取り外す。
【００６６】
上記実施形態の天井点検口によれば、内枠２０の開閉時に、内枠２０は回動軸３２を中心として回動すると同時に、２個のローラ３１Ａ，３１Ｂがスライド溝２７内を転動してスライドバー３３が内枠２０の長手方向端部に出没することで、内枠２０と外枠１０の干渉を回避して目地部の隙間Ｓを狭くでき、内枠２０の開閉をスムーズに行うことができる。また、内枠２０を閉じた状態においては、スライドバー３３は内枠２０のスライド溝２７側に収納され、スライドバー３３の一端側の２個のローラ３１Ａ，３１Ｂと他端側の回動軸３２とによって内枠２０は外枠１０内に収納されるので、内枠２０及び内枠２０に取り付けられる天井仕上げ材３、天井下地材４の自重によって内枠２０が外枠１０から垂れ下がるのを確実に防止することができる。
【００６７】
また、ロック機構５０を構成する係止部材５５を、内枠部材２１の下端の肉厚部２２に設けられた切欠部２２ａ内でスライドさせて、係止部材５５に突設された係止突部５４を外枠１０に設けられた係止受け部５７に係脱可能にすることができるので、内枠２０と外枠１０の隙間Ｓを広げることなくロック機構５０の係止部材５５を取り付けることができる。
【００６８】
また、外枠部材１１は、外向き鍔部１２の上面に天井板５と密接する第１のパッキン６１が貼着されると共に、クランク部１０ａの内面に内枠部材２１のクランク部２０ａの外面に密接する第２のパッキン６２が貼着され、更に内枠部材２１のクランク部２０ａの内面に天井仕上げ材３に密接する第３のパッキン６３が貼着されているので、内枠２０と外枠１０との間の気密性が図れると共に、外枠１０と天井板５間、及び内枠２０と天井仕上げ材３間の気密性の維持が図れる。
【符号の説明】
【００６９】
２  天井
２ａ  開口
３  天井仕上げ材
１０  外枠
１０ａ  クランク部
１１  外枠部材
１２  外向き鍔部
１３  下部垂直壁
１４  水平壁
１５  上部水平壁
２０  内枠
２０ａ  クランク部
２１  内枠部材
２２  肉厚部
２２ａ  切欠部
２３  下部垂直壁
２４  水平壁
２５  上部水平壁
２７  スライド溝
２８  挿入溝
２９  コーナー部材
３０  開閉機構
３１Ａ，３１Ｂ  ローラ
３２，３２Ｂ  回動軸
３３  スライドバー
３３ｆ  延在部
３５ａ  第１のストッパ片
３５ｂ  第２のストッパ片
４０，４０Ｂ  回動軸受け部
４１  着脱孔部
４２，４２Ｂ  枢支孔部
５０  ロック機構
５１  第１の垂直片
５２  第２の垂直片
５３  摘み部
５４  係止突部
５５  係止部材
５７  係止受け部
６１  第１のパッキン
６２  第２のパッキン
６３  第３のパッキン
Ｃ  中心線
Ｓ  隙間
【図１】
0006755616.tif 000002
【図２】
0006755616.tif 000003
【図３】
0006755616.tif 000004
【図４】
0006755616.tif 000005
【図５】
0006755616.tif 000006
【図６】
0006755616.tif 000007
【図７】
0006755616.tif 000008
【図８】
0006755616.tif 000009
【図８Ａ】
0006755616.tif 000010
【図９】
0006755616.tif 000011
【図１０】
0006755616.tif 000012
【図１１】
0006755616.tif 000013
【図１２】
0006755616.tif 000014
【図１３】
0006755616.tif 000015
【図１４】
0006755616.tif 000016
【図１５】
0006755616.tif 000017
【図１６】
0006755616.tif 000018
【図１７】
0006755616.tif 000019